(57)【特許請求の範囲】
【請求項１】
見切り材とコーナー部材とを有し、
前記見切り材は、壁の天井との境界に設けられ、壁の入隅または出隅で間隙を有し、前記間隙に面する端部から前記間隙に突出する接続部を有し、上面に長さ方向に沿って前記端部に通じる取付溝を有し、前記取付溝に嵌合して前記接続部を構成する接続部材を有し、
前記コーナー部材は、前記間隙に下方から挿入される挿入部と、前記見切り材の端部側面および前記間隙を被覆するカバー部とを有し、前記接続部と下方から嵌合するよう前記挿入部の側面を貫通して上端から下方に伸びる嵌合溝を有することを、
特徴とする見切り構造。
【請求項２】
見切り材とコーナー部材とを有し、
前記見切り材は、壁の床との境界に設けられ、壁の入隅または出隅で間隙を有し、前記間隙に面する端部から前記間隙に突出する接続部を有し、下面に長さ方向に沿って前記端部に通じる取付溝を有し、前記取付溝に嵌合して前記接続部を構成する接続部材を有し、
前記コーナー部材は、前記間隙に上方から挿入される挿入部と、前記見切り材の端部側面および前記間隙を被覆するカバー部とを有し、前記接続部と上方から嵌合するよう前記挿入部の側面を貫通して下端から上方に伸びる嵌合溝を有することを、
特徴とする見切り構造。
【請求項３】
端部に突出する接続部を有し、上面に長さ方向に沿って前記端部に通じる取付溝を有し、前記取付溝に嵌合して前記接続部を構成する接続部材を有する２本の見切り材を、壁の天井との境界に、壁の入隅または出隅で互いに間隙を設けて固定し、
前記間隙に下方から挿入可能な挿入部と、前記見切り材の端部側面および前記間隙を被覆可能なカバー部とを有し、前記挿入部に側面を貫通して上端から下方に伸びる嵌合溝を有するコーナー部材を前記間隙に下方から挿入し、前記接続部を前記嵌合溝に嵌合し、前記カバー部で前記見切り材の端部側面および前記間隙を被覆することを、
特徴とする見切り構造の施工方法。
【請求項４】
端部に突出する接続部を有し、下面に長さ方向に沿って前記端部に通じる取付溝を有し、前記取付溝に嵌合して前記接続部を構成する接続部材を有する２本の見切り材を、壁の床との境界に、壁の入隅または出隅で互いに間隙を設けて固定し、
前記間隙に上方から挿入可能な挿入部と、前記見切り材の端部側面および前記間隙を被覆可能なカバー部とを有し、前記挿入部に側面を貫通して下端から上方に伸びる嵌合溝を有するコーナー部材を前記間隙に上方から挿入し、前記接続部を前記嵌合溝に嵌合し、前記カバー部で前記見切り材の端部側面および前記間隙を被覆することを、
特徴とする見切り構造の施工方法。
【発明の詳細な説明】
【技術分野】
【０００１】
本発明は、見切り構造およびその施工方法に関する。
【背景技術】
【０００２】
従来の見切り構造は、壁と天井との境界に沿って見切り材を取り付け、入隅または出隅のコーナーで、隣り合う見切り材の端部を覆うよう、接着剤などでコーナー部材を貼り付けている（例えば、特許文献１参照）。
【先行技術文献】
【特許文献】
【０００３】
【特許文献１】実開平５−８４７３３号公報
【発明の概要】
【発明が解決しようとする課題】
【０００４】
しかしながら、特許文献１に記載の見切り構造では、接着剤が乾くまでコーナー部材を仮止めしておく必要があるため、作業に手間がかかり、施工性が悪いという課題があった。また、施工後には、経年劣化により見切り材が収縮した場合、接着剤が剥がれてコーナー部材が外れるおそれがあるという課題があった。
【０００５】
本発明は、このような課題に着目してなされたもので、施工性が良好で、かつ施工後の耐久性が高い見切り構造およびその施工方法を提供することを目的とする。
【課題を解決するための手段】
【０００６】
上記目的を達成するために、本発明に係る見切り構造は、見切り材とコーナー部材とを有し、前記見切り材は、壁の天井との境界に設けられ、壁の入隅または出隅で間隙を有し、前記間隙に面する端部から前記間隙に突出する接続部を有し、上面に長さ方向に沿って前記端部に通じる取付溝を有し、前記取付溝に嵌合して前記接続部を構成する接続部材を有し、前記コーナー部材は、前記間隙に下方から挿入される挿入部と、前記見切り材の端部側面および前記間隙を被覆するカバー部とを有し、前記接続部と下方から嵌合するよう前記挿入部の側面を貫通して上端から下方に伸びる嵌合溝を有することを、特徴とする。
また、本発明に係る見切り構造は、巾木構造の場合、見切り材とコーナー部材とを有し、前記見切り材は、壁の床との境界に設けられ、壁の入隅または出隅で間隙を有し、前記間隙に面する端部から前記間隙に突出する接続部を有し、下面に長さ方向に沿って前記端部に通じる取付溝を有し、前記取付溝に嵌合して前記接続部を構成する接続部材を有し、前記コーナー部材は、前記間隙に上方から挿入される挿入部と、前記見切り材の端部側面および前記間隙を被覆するカバー部とを有し、前記接続部と上方から嵌合するよう前記挿入部の側面を貫通して下端から上方に伸びる嵌合溝を有することを、特徴とする。
【０００７】
本発明に係る見切り構造は、コーナー部材の挿入部を見切り材の間隙に挿入し、挿入部の嵌合溝を見切り材の接続部と嵌合させることによりコーナー部材を取り付け、施工することができる。コーナー部材は嵌合により取り付けられるので、接着剤を使用する必要がなく、仮止めの必要もないので、施工性が良好である。コーナー部材の嵌合には、ゴムハンマーや木ハンマーなどを用いてもよい。
【０００８】
本発明に係る見切り構造は、施工後に経年劣化により見切り材が収縮した場合にも、コーナー部材が接続部と嵌合溝との嵌合により取り付けられているので、接続部と嵌合溝との間で見切り材の収縮を吸収し、コーナー部材が外れるのを防ぐことができる。このため、耐久性が高い。カバー部は、見切り材が収縮した場合にも見切り材の端部側面を被覆するように、その端部側面を深く被覆していることが好ましい。
【０００９】
本発明に係る見切り構造は、接着剤を使用する必要がないため、挿入可能に構成さコーナー部材を見切り材の間隙から容易に取り外して解体することができ、解体後には、再利用することができる。なお、コーナー部材を見切り材の接続部に取り付けるとき、熱可塑性樹脂を主成分とし、常温で固形または半固形で加熱溶融により塗布可能なホットメルト接着剤を使用してもよい。また、本発明に係る見切り構造は、壁の天井との境界に設けられる廻り縁構造であっても、壁の床との境界に設けられる巾木構造であってもよい。
【００１０】
本発明に係る見切り構造は、コーナー部材の取付けが容易である。
【００１１】
本発明に係る見切り構造は、見切り材の端部から接続部材が突出する長さを変えて、接続部の長さを調節しやすい。接続部は、取付溝に嵌合する接続部材で構成されるため、加工が容易である。見切り材の取付溝は見切り材の上面または下面にあるため、室内から見えず、外観に影響しない。
【００１２】
本発明に係る見切り構造の施工方法は、見切り構造が廻り縁構造の場合には、端部に突出する接続部を有し、上面に長さ方向に沿って前記端部に通じる取付溝を有し、前記取付溝に嵌合して前記接続部を構成する接続部材を有する２本の見切り材を、壁の天井との境界に、壁の入隅または出隅で互いに間隙を設けて固定し、前記間隙に下方から挿入可能な挿入部と、前記見切り材の端部側面および前記間隙を被覆可能なカバー部とを有し、前記挿入部に側面を貫通して上端から下方に伸びる嵌合溝を有するコーナー部材を前記間隙に下方から挿入し、前記接続部を前記嵌合溝に嵌合し、前記カバー部で前記見切り材の端部側面および前記間隙を被覆することを、特徴とする。
本発明に係る見切り構造の施工方法は、見切り構造が巾木構造の場合には、端部に突出する接続部を有し、上面に長さ方向に沿って前記端部に通じる取付溝を有し、前記取付溝に嵌合して前記接続部を構成する接続部材を有する２本の見切り材を、壁の天井との境界に、壁の入隅または出隅で互いに間隙を設けて固定し、前記間隙に上方から挿入可能な挿入部と、前記見切り材の端部側面および前記間隙を被覆可能なカバー部とを有し、前記挿入部に側面を貫通して下端から上方に伸びる嵌合溝を有するコーナー部材を前記間隙に上方から挿入し、前記接続部を前記嵌合溝に嵌合し、前記カバー部で前記見切り材の端部側面および前記間隙を被覆することを、特徴とする。
【００１３】
本発明に係る見切り構造の施工方法により、前述の本発明に係る見切り構造を容易に施工することができる。
【発明の効果】
【００１４】
本発明によれば、施工性が良好で、かつ施工後の耐久性が高い見切り構造およびその施工方法を提供することができる。
【図面の簡単な説明】
【００１５】
【図１】本発明の実施の形態の見切り構造の（ａ）見切り材を取り付けた状態、（ｂ）さらにコーナー部材を取り付けた状態を示す、天井を省略した上方からの斜視図である。
【図２】図１に示す見切り構造の（ａ）見切り材を取り付けた状態、（ｂ）さらにコーナー部材を取り付けた状態を示す下方からの斜視図である。
【図３】図１に示す見切り構造のコーナー部材を示す斜視図である。
【図４】図３に示すコーナー部材の（ａ）底面図、（ｂ）平面図、（ｃ）背面図、（ｄ）左側面図、（ｅ）正面図、（ｆ）右側面図である。
【発明を実施するための形態】
【００１６】
以下、図面に基づき、本発明の実施の形態について説明する。
図１乃至図４は、本発明の実施の形態の見切り構造を示している。
図１乃至図４に示すように、見切り構造１０は、見切り材１１とコーナー部材１２とを有している。
【００１７】
図１および図２に示すように、見切り材１１は、断面四角形の細長い木材または合成樹脂から成っている。見切り材１１は、上面となる１つの側面に、長さ方向に沿って両方の端部１１ａに通じる取付溝１１ｂを有している。見切り材１１は、取付溝１１ｂに嵌合して、一方の端部１１ａから突出する長方形の板状の接続部材２１を有している。接続部材２１は、取付溝１１ｂの幅とほぼ同じ厚さを有し、取付溝１１ｂとしっかり嵌合している。
【００１８】
図１（ａ）および図２（ａ）に示すように、見切り材１１は、取付溝１１ｂを上方に向けて、壁１の天井２との境界に、合い釘、ホットメルト接着剤またはその他の方法で固定されている。ホットメルト接着剤は、熱可塑性樹脂を主成分とし、常温で固形または半固形で加熱溶融により塗布可能な接着剤である。見切り材１１は壁１の入隅で間隙１３を有し、間隙１３を隔てて、２本の見切り材１１が直角方向で隣り合っている。見切り材１１の端部１１ａは間隙１３に面し、接続部材２１の接続部２１ａは、隣り合う見切り材１１の接続部２１ａとぶつからないよう離れて、端部１１ａから間隙１３に突出している。
【００１９】
図３および図４に示すように、コーナー部材１２は、木製または合成樹脂製で、挿入部２２と２つの下端カバー部２３と側部カバー部２４とを一体的に有している。挿入部２２は、上端外周がほぼ正方形の四角柱状を成している。挿入部２２は、見切り材１１の間隙１３に挿入可能な大きさを有している。挿入部２２は、上端から下方に伸びる十字状の嵌合溝２２ａを有している。嵌合溝２２ａは、挿入部２２の各側面と平行に伸び、挿入部２２の上端を４等分している。嵌合溝２２ａは、挿入部２２の高さの半分程度の深さを有し、挿入部２２の各側面を貫通している。嵌合溝２２ａは、接続部材２１の厚さとほぼ同じ幅を有し、接続部２１ａと嵌合可能となっている。
【００２０】
下端カバー部２３は、下面２３ａが挿入部２２の下端より大きい、角が１つ欠けた長方形状を成し、挿入部２２の下端に一体的に設けられている。下端カバー部２３は、挿入部２２の隣り合う２つの側面２２ｂ、２２ｃの下端から垂直に板状に一定の幅で突出している。下端カバー部２３の下面２３ａは、平坦である。
【００２１】
側部カバー部２４は、下端カバー部２３の角が欠けた部分から垂直に立ち上がり、挿入部２２の側部コーナーに沿ってその両側に突出するよう設けられている。側部カバー部２４は、挿入部２２の側面２２ｂ，２２ｃに対して垂直に突出している。側部カバー部２４の外面２４ａは、横断面が凹状に湾曲している。
【００２２】
図１および図２に示すように、挿入部２２は、見切り材１１の間隙１３に下方から挿入されている。このとき、嵌合溝２２ａは、接続部材２１の接続部２１ａと下方から嵌合している。嵌合溝２２ａと接続部２１ａとの嵌合部には、ホットメルト接着剤を使用してもよい。ホットメルト接着剤は加熱により溶融可能なため、解体や再利用が容易である。下端カバー部２３は、両側の見切り材１１の端部側面１１ｃおよび間隙１３の下側を被覆している。側部カバー部２４は、両側の見切り材１１の端部側面１１ｃおよび間隙１３の正面側を被覆している。
【００２３】
次に、作用について説明する。
見切り構造１０は、コーナー部材１２の挿入部２２を見切り材１１の間隙１３に下方から挿入し、挿入部２２の嵌合溝２２ａを見切り材１１の接続部２１ａと嵌合させることによりコーナー部材１２を取り付け、施工することができる。この見切り構造１０は、廻り縁構造となる。コーナー部材１２は嵌合により取り付けられるので、接着剤を使用する必要がなく、仮止めの必要もないので、施工性が良好である。コーナー部材１２は、下方から嵌合できるので、取付けが特に容易である。コーナー部材１２を嵌合する際に、ゴムハンマーや木ハンマーを用いると、嵌合がさらに容易である。
【００２４】
見切り構造１０は、施工後に経年劣化により見切り材１１が収縮した場合にも、コーナー部材１２が接続部２１ａと嵌合溝２２ａとの嵌合により取り付けられているので、接続部２１ａと嵌合溝２２ａとの間で見切り材１１の収縮を吸収し、コーナー部材１２が外れるのを防ぐことができる。このため、耐久性が高い。
【００２５】
見切り構造１０は、接着剤を使用する必要がないため、コーナー部材１２を見切り材１１の間隙１３から容易に取り外して解体することができ、解体後には、再利用することができる。見切り構造１０は、見切り材１１の端部１１ａから接続部材２１が突出する長さを変えて、接続部２１ａの長さを調節しやすい。接続部２１ａは、接続部材２１で構成されるため、加工が容易である。見切り材１１の取付溝１１ｂは見切り材１１の上面にあるため、室内から見えず、外観に影響しない。見切り材１１の間隙１３は、下端カバー部２３および側部カバー部２４により下側も正面側も被覆されているので、見栄えの良い外観となる。
【００２６】
なお、見切り材１１の取付溝１１ｂを上面に設ける代わりに、見切り材１１の壁面側に設けて接続部材２１を水平方向に沿わせ、コーナー部材１２の嵌合溝２２ａを挿入部２２の上端から下方に伸びるよう設ける代わりに、水平方向に伸びるよう側面に設けて、コーナー部材１２を見切り材１１の間隙１３の下方から挿入する代わりに、正面側から挿入するようにしてもよい。また、見切り構造１０は、壁１の天井２との境界に設ける代わりに、巾木構造として壁１の床との境界に設けてもよい。また、見切り材１１は壁１の入隅に設ける代わりに、出隅に設けてもよい。また、接続部材２１と取付溝１１ｂとの嵌合部に、互いに係合する凹凸を設けてもよい。また、見切り材１１の接続部２１ａと挿入部２２の嵌合溝２２ａとの嵌合部に、互いに係合する凹凸を設けてもよい。
【符号の説明】
【００２７】
１  壁
２  天井
１０  見切り構造
１１  見切り材
１１ａ  端部
１１ｂ  取付溝
１１ｃ  端部側面
２１  接続部材
２１ａ  接続部
１２  コーナー部材
２２  挿入部
２２ａ  嵌合溝
２２ｂ，２２ｃ  側面
２３  下端カバー部
２４  側部カバー部
２４ａ  外面
１３  間隙
【図１】
0005958683.tif 000002
【図２】
0005958683.tif 000003
【図３】
0005958683.tif 000004
【図４】
0005958683.tif 000005